(57)【要約】【課題】  発光管とリフレクターとを正確且つ十分な強度でもって固定した光源ランプ、およびその製造方法、並びにこれを備えたプロジェクターを提供することも目的とする。【解決手段】  発光管１０が挿入されるリフレクター２０の中心孔２４と発光管１０の封止部１３ａとの隙間４０に、反射面２１側から第１の接着剤４１を注入し、仮乾燥の後、反射面２１の反対の面側から第２の接着剤４２を注入し、本乾燥して光源ランプ１を製造する。また、第１の接着剤４１の粘度を第２の接着剤４２の粘度より高いものにする。これにより、粘度の高い第１の接着剤による仮固定によって発光管とリフレクターとの位置の精度が保証され、粘度の低い第２の接着剤が隙間４０に充填されるから接着強度が保証される。【選択図】        図１
2005164897.tif 000002
【特許請求の範囲】
【請求項１】
発光管と、該発光管が挿入される中心孔および該発光管から発せられた光を反射する反射面が設けられたリフレクターとを具備する光源ランプの製造方法であって、
前記中心孔に前記発光管の一部を配置するアライメント工程と、
前記中心孔と前記挿入された発光管の一部との隙間に、前記反射面側から第１の接着剤を注入して発光管とリフレクターとを仮固定する第１工程と、
該第１工程の後に、前記中心孔と前記挿入された発光管の一部との隙間に、前記反射面の反対側から第２の接着剤を注入して発光管とリフレクターとを本固定する第２工程とを有することを特徴とする光源ランプの製造方法。
【請求項２】
前記第１工程における第１の接着剤の粘度が、前記第２工程における第２の接着剤の粘度より高いことを特徴とする請求項１記載の光源ランプの製造方法。
【請求項３】
前記第２工程において、前記中心孔の長さ方向に沿って空間が形成されるように第２の接着剤を注入することを特徴とする請求項１または２記載の光源ランプの製造方法。
【請求項４】
発光管と、
該発光管の一部が挿入される中心孔および該発光管が発した光を反射する反射面が設けられたリフレクターと、
前記中心孔と前記挿入された発光管の一部との隙間の前記反射面側において固化した第１の接着剤と、
前記中心孔と前記挿入された発光管の一部との隙間の前記反射面の反対側において固化した第２の接着剤とを有することを特徴とする光源ランプ。
【請求項５】
前記第１の接着剤の固化する前の粘度が、前記第２の接着剤の固化する前の粘度より高いことを特徴とする請求項４記載の光源ランプ。
【請求項６】
前記第２の接着剤が、前記中心孔の長さ方向に沿う空間を隔てて配置されていることを特徴とする請求項４または５記載の光源ランプ。
【請求項７】
請求項１乃至３の何れかに記載の光源ランプを有した照明光学系と、該照明光学系からの出射光を各色光に分離する色光分離光学系と、その各色光を入射して所定の情報に基づいて画像を生成する光変調装置と、その画像光を投写する投写レンズとを備えていることを特徴とするプロジェクター。
【発明の詳細な説明】
【技術分野】
【０００１】
本発明は、リフレクターを有する光源ランプおよびその製造方法、並びにその光源ランプを備えたプロジェクターに関する。
【背景技術】
【０００２】
従来、プロジェクター等の光源ランプユニットに設置される光源ランプは、発光管とリフレクターとを有している。リフレクターは発光管から発した光を所定の方向に向けるものであって、回転放物面ないし回転楕円面状の凹面からなる反射面と、反射面の中心に開口した中心孔と、反射面の中心で反射面の反対方向に向けて延びる筒状のネック部とを有す漏斗状である。そして、発光管の一部が該中心孔（ネック部の内周部に同じ）に挿入され、接着剤によって固定されている。（例えば、特許文献１参照。）
【特許文献１】特開平４−２２９９４８号公報（２〜３頁、第１図）
【発明の開示】
【発明が解決しようとする課題】
【０００３】
前記特許文献１に開示された発明は、リフレクターの中心孔に発光管の一部を挿入して固定する際、リフレクターの反射面側からリフレクターの中心孔と挿入された発光管の一部との隙間に接着剤を一気に注入するため、以下の問題点があった。すなわち、
粘度の低い接着剤を注入する場合は、前記隙間への充填性が良好である反面、垂れ込み易く、固化時（硬化時に同じ）、特に高温（１５０℃以上）環境下の発泡が多いため、発光管の仮固定が難しく、これが、発光管とリフレクターとの位置精度の悪化（ズレ）や発光管とリフレクターとの接着強度の低下の原因となっていた。
一方、粘度の高い接着剤は前記隙間への充填性が悪いため、充填不足による接着強度の不足が起こり易かった。
【０００４】
本発明は上記問題点に鑑みてなされたもので、発光管とリフレクターとを有する光源ランプにおいて、発光管の一部とリフレクターとを正確且つ十分な強度でもって固定した光源ランプおよびその製造方法、並びにこれを備えたプロジェクターを提供することも目的とする。
【課題を解決するための手段】
【０００５】
本発明の光源ランプの製造方法は、発光管と、該発光管が挿入される中心孔および該発光管から発せられた光を反射する反射面が設けられたリフレクターとを具備し、
前記中心孔に前記発光管の一部を配置するアライメント工程と、前記中心孔と前記挿入された発光管の一部との隙間に、前記反射面側から第１の接着剤を注入して発光管とリフレクターとを仮固定する第１工程と、該第１工程の後に、前記中心孔と前記挿入された発光管の一部との隙間に、前記反射面の反対側から第２の接着剤を注入して発光管とリフレクターとを本固定する第２工程とを有することを特徴とする。
これにより、接着剤の注入を第１工程および第２工程の２工程に分けて実施するため、第１工程は主に発光管とリフレクターとの位置精度を確保することに、第２工程は主に発光管とリフレクターとの接着強度を確保することに、それぞれ特化した作業が可能になるから、接着剤の選定の自由度が増すとともに、発光管とリフレクターとの位置精度および接着強度が容易且つ確実に保証される。
【０００６】
また、前記第１工程における第１の接着剤の粘度が、前記第２工程における第２の接着剤の粘度より高いことを特徴とする。これにより、第１工程において注入される第１の接着剤が注入時に高粘度であって、接着剤の垂れ込みがないから、アライメント工程において調整された発光管とリフレクターとの位置精度が、変わることなく仮固定され、位置精度が保たれる。また、第１の接着剤は仮固定をするために十分な狭い範囲に接着するだけでよいため、充填性よりもむしろ接着強度を主眼にした材料選択ができるから、材料選択の自由度が増す。
一方、第２工程において注入される第２の接着剤は注入時に低粘度であって、容易に充填されるから、充填不足による問題が解決され、発光管とリフレクターとの接着強度が確保される。また、第２の接着剤については充填性を主眼にした材料選択ができるから、材料選択の自由度が増す。なお、第１の接着剤によって反射面側の隙間が閉塞されるから、第２工程において低粘度の第２の接着剤が反射面側に流れ出すことがない。
【０００７】
また、前記第２工程において、前記中心孔の長さ方向に沿って空間が形成されるように第２の接着剤を注入することを特徴とする。これにより、第２の接着剤を注入する際、エアーの封入（閉じ込み）が防止される。さらに、発泡性の接着剤を注入した場合であっても、気泡（泡状ガス）が抜ける空間が形成されるため、脱泡が促進される。よって、光源ランプの温度が使用中に上昇した際にエアー（ガス）の膨張によって接着強度が低下したり、光源ランプが破損したりすることがない。
【０００８】
さらに、本発明の光源ランプは、発光管と、該発光管の一部が挿入される中心孔および該発光管が発した光を反射する反射面が設けられたリフレクターと、前記中心孔と前記挿入された発光管の一部との隙間の前記反射面側において固化した第１の接着剤と、前記中心孔と前記挿入された発光管の一部との隙間の前記反射面の反対側において固化した第２の接着剤とを有することを特徴とする。これにより、リフレクターの中心孔と発光管とは、第１の接着剤と第２の接着剤との両方によって接着固定されているから、発光管とリフレクターとの固定位置の精度および接着強度が保証される
【０００９】
また、前記第１の接着剤の固化する前の粘度が、前記第２の接着剤の固化する前の粘度より高いことを特徴とする。これにより、発光管をリフレクターの中心孔に挿入して位置決めした後（アライメント後）、粘度の高い第１の接着剤によって仮固定すれば、発光管とリフレクターとの固定位置の精度が保証される。また、第１の接着剤は仮固定をするために十分なだけの狭い範囲に接着すればよいため、充填性よりも接着強度を主眼にした材料選択ができるから、材料選択の自由度が増す。さらに、あらかじめ仮固定された後、粘度の低い第２の接着剤が注入されるから、接着剤の充填不良がなく、発光管とリフレクターとの接着強度が保証される。また、第２の接着剤は充填性を主眼にした材料選択ができるから、材料選択の自由度が増す。
【００１０】
また、前記第２の接着剤が、前記中心孔の長さ方向に沿う空間を隔てて配置されていることを特徴とする。これにより、第２の接着剤には注入時に空気が封入される（閉じ込められる）ことがなく、又発泡の散逸が促進されているから、光源ランプの温度が使用中に上昇した際にエアー（ガス）の膨張によって接着強度が低下したり、光源ランプが破損したりすることがない。
【００１１】
また、本発明のプロジェクターは、光源ランプを有した照明光学系と、該照明光学系からの出射光を各色光に分離する色光分離光学系と、その各色光を入射して所定の情報に基づいて画像を生成する光変調装置と、その画像光を投写する投写レンズとを備えていることを特徴とする。これにより、光源ランプを構成する発光管とリフレクターとが堅固に且つ高精度に接着固定されているから、その光源ランプを備えているプロジェクターは、長時間且つ多数回の使用に対して出射光の出射精度が維持され、投写画像の高輝度化及び照度の均一化が図られる。
【発明を実施するための最良の形態】
【００１２】
以下、実施形態１として本発明の光源ランプを、実施形態２として本発明の光源ランプの製造方法を、実施形態３として本発明のプロジェクターを、それぞれ図を参照しながら説明する。なお、各図において同じ部分にはそれぞれ同じ符号を付し、一部の説明を省略する。
【００１３】
［実施の形態１］
図１は本発明の実施形態１に係る光源ランプの構成を示す断面図である。図１において、光源ランプ１は、発光管１０とリフレクター２０とを備えている。
発光管１０は例えば水銀ランプであり、石英ガラス等によって形成され、中央の発光部１１と、発光部１１の両側に延設された封止部１３ａ、１３ｂとを有する。発光部１１の内部には、水銀、希ガス及び少量のハロゲン等が封入され、タングステンによって形成された電極１２ａ、１２ｂが配置されている。封止部１３ａ、１３ｂには電極１ａ２、１２ｂに接続されたモリブデンによって形成された金属箔１４ａ、１４ｂが密封され、金属箔１４ａ、１４ｂには外部に繋がるリード線１５ａ、１５ｂがそれぞれ設けられている。なお、発光管１０は水銀ランプに限られるものではなく、メタルハライドランプやキセノンランプ等でもよい。
【００１４】
リフレクター２０は、発光管１０の一方の封止部１３ａに固定された反射素子であって、回転放物面状や回転楕円面状の凹面２１（以下、反射面と称す）と、反射面２１を形成する略錐体状部分２２（以下、カップ部と称す）と、カップ部２２の中心から反射面２１の反対側（凸面側）に延設された筒状部２３（以下、ネック部と称す）と、反射面２１の回転中心と同軸でネック部２３を貫通する中心孔２４とを有している。また、カップ部２２とネック部２３は耐熱ガラスによって一体的に漏斗状に形成されている。
【００１５】
そして、リフレクター２０の中心孔２４に発光管１０の一方の封止部１３ａが挿入され、中心孔２４の内周と封止部１３ａの外周との隙間４０（以下、固定部隙間と称す）に第１の接着剤４１および第２の接着剤４２が固化している。
このとき、第１の接着剤４１は反射面２１側（図中、右側）から注入された粘度の高い（概ね１００００ｃＰ（１万センチポアズ）超え）耐熱無機接着剤であり、一方、第２の接着剤４２は反射面２１の反対側（図中、左側）から注入された粘度の低い（概ね１００００ｃＰ（１万センチポアズ）未満）耐熱無機接着剤である。
なお、かかる耐熱無機接着剤としては、例えば、シリカ系やアルミナ系のものが利用できる。また、第１の接着剤４１と第２の接着剤４２とは、互いに異なる種類のものであっても、また、同じ種類のものであって水分量の調整によって粘度に差を設けたものであってもよい。
【００１６】
したがって、固定部隙間４０の反射面２１側には第１の接着剤４１が充填されて固化し、固定部隙間４０の第１の接着剤４１を除く範囲（反射面２１の反対側の範囲）には、第２の接着剤４２が充満しているから、接着剤の充填不足による接着強度の不足がない。また、組立時、固定部隙間４０の反射面２１側の口元が粘度の高い第１の接着剤４１によって閉塞されるため、第２の接着剤４２が反射面２１や発光部１１に向かって流れ出すことがない。さらに、第１の接着剤４１によってリフレクター２０と発光管１０との位置精度を出した後に、第２の接着剤４２を充填したものであるから、リフレクター２０は良好な反射性能を奏し、光源ランプ１の出射性能が保証される（これについては別途詳細に説明する）。
【００１７】
なお、第２の接着剤４２は粘度の低い耐熱無機接着剤に限定するものではなく、粘度の高いものであってもよいが、粘度が高い場合は、空気抜き用の隙間（中心孔２４の長さ方向に沿う空間）を形成するようにその接着剤を注入するのが好ましい（これについては別途詳細に説明する）。たとえば、第２の接着剤４２が固定部隙間４０の円周方向の一箇所で注入され、該注入箇所の円周上の対向位置に空気抜き用の隙間（中心孔２４の一端に開口している）を形成したり、または固定部隙間４０の円周方向の複数箇所で注入され、該注入箇所同士の中間に空気抜き用の隙間（中心孔２４の一端に開口している）を形成したりしすれば、注入の際、第２の接着剤４２の内部に空気が封入される（取り込まれる）ことがない。よって、光源ランプ１の使用中に接着部の温度が上昇したとしても、封じ込められたエアー（ガス）がないから、これの膨張によって接着強度が低下したり、光源ランプ１が破損したりすることがない。
【００１８】
図中、中心孔２４は反射面２１側がわずかに広い円錐状であるため、固定部隙間４０の間隔もまた反射面２１側がわずかにテーパ状に広くなっている。しかしながら、本発明はこれに限定するものではなく、固定部隙間４０が全長に渡って略一定、反射面２１側が狭いテーパ状、あるいは一部が狭められた「くびれ」を有するものであってもよい。
また、発光部１１のリフレクタ２０と対峙させてサブミラーを設置してもよい。サブミラーは、回転放物面や回転楕円面等の凹面からなる反射面を有し、封止部１３ｂに接着固定され、発光部１１からの出射光の一部を一旦リフレクター２０に戻すことによって光源ランプ１の出射性能を向上させるものである。
【００１９】
［実施の形態２］
図２および図３は本発明の実施形態２に係る光源ランプの製造方法を示すものであって、図２はフローチャート、図３は工程を示す模式図である。
光源ランプの製造は、まず、リフレクター２０の中心孔２４に発光管１０の一方の封止部１３ａを挿入し、図示しない調整治具によって位置を調整をする（図２のＳ１、以下、アライメント工程と称す、図３の（ａ）参照）。
次に、固定部隙間４０に反射面２１側から第１の接着剤４１を注入する（図２のＳ２、以下、第１の注入工程と称す、図３の（ｂ）参照）。ここで、接着剤４１は発光管１０をリフレクター２０に仮固定することが可能な最少量を注入するのがよい。
そして、第１の注入工程において注入された第１の接着剤４１を乾燥しては発光管１０とリフレクター２０とを仮固定する（図２のＳ３、以下、仮乾燥工程と称す）。
さらに、固定部隙間４０に反射面２１の反対側から第２の接着剤４２を注入する（図２のＳ４、以下、第２の注入工程と称す、図３の（ｃ）参照）。
そして、第１の接着剤４１（仮乾燥されている）と第２の注入工程において注入された第２の接着剤４２とを乾燥して発光管１０とリフレクター２０とを本固定または最終固定する（図２のＳ５、以下、本乾燥工程と称す）。なお、仮乾燥工程や本乾燥工程は、接着剤の種類によってはそれらの工程を特別に設けることなく自然に乾燥させるようにしてもよい。
【００２０】
上記のように、アライメント工程において位置調整をした後、第１の接着剤４１によって発光管１０とリフレクター２０とを仮固定するから、該仮固定によって位置精度が保証される。なお、第１の接着剤４１は固定用隙間４０の口元に近い限られた範囲（反射面２１に近い範囲）にのみ接着している場合であっても仮固定に十分な接着強度を発揮できるものを使用するのがよい。
そして、すでに仮固定された状態で、第２の接着剤を反射面２１の反対側から注入するため、第２の接着剤４２の選定や注入作業の要領の自由度が増し、第２の接着剤４２を確実に充填できるようになる。そして、充填された第２の接着剤４２および先に注入された第１の接着剤４１が本乾燥によって固化するから、堅固で確実な本固定がなされることになる。
【００２１】
この方法によれば、アライメント工程の後の第１の注入工程において、第１の接着剤４１は固定部隙間４０の奥にまで充填する必要がないため、粘度の高い耐熱無機接着剤（概ね１００００ｃＰ（１万センチポアズ）超え）を選定することが可能になって、垂れる（流れる）ことがなく、発光管１０とリフレクター２０との固定位置の精度が保証される。なお、第１の接着剤４１の粘度が高い場合には発泡が少ないから、これによっても接着強度が高くなる。
【００２２】
さらに、第２の接着剤４２を粘度の低い耐熱無機接着剤（概ね１００００ｃＰ（１万センチポアズ）未満）にすれば、第２の接着剤４２が固定部隙間４０内に確実に充填され易くなり、充填不足による接着強度の低下が防止される。また、第１の注入工程において、固定部隙間４０の反射面２１側の口元を閉塞しておけば、第２の注入工程において注入される粘度の低い第２の接着剤４２が反射面２１に流れ出すことがない。
【００２３】
なお、図３において、発光管１０を鉛直方向に配置した各工程、すなわち、鉛直上方から鉛直下方に向けて第１および第２の接着剤をそれぞれ注入する様子を示しているが、本発明は発光管１０の姿勢をこれに限定するものではない。たとえば、発光管１０を斜めにして第１または第２の接着剤を注入してもよい。さらに、仮乾燥ないし本乾燥の際の発光管１０の姿勢（図示しない）も同様に限定するものではなく、鉛直、斜めまたは水平のいずれであってもよい。
【００２４】
図４は本発明の実施形態２に係る光源ランプの製造方法における第２の注入工程の実施例を示す平面図である。図４はリフレクター２０を反射面２１の反対側（凸面側）から見たものである。固定部隙間４０の反射面２１に近い範囲（図中、奥位置）には、第１の注入工程において注入された第１の接着剤４１（図中、斜線にて示す）が仮乾燥され、該範囲を閉塞している。
【００２５】
図４は、第２の接着剤４２として粘度の高い接着剤を選定した場合であって、円周方向の４箇所に第２の接着剤４２（図中、梨地にて示す）を注入している。このようにすることで、第２の接着剤４２同士の中間に空気抜き用の隙間（図中、斜線にて示す範囲、すなわち、第１の接着剤４１が直視可能な範囲に同じ）が形成され、注入に際し空気の封入（閉じ込め）が防止される。よって、光源ランプ１の使用中に接着部の温度が上昇したとしても、封じ込められたエアー（ガス）がないから、これの膨張によって接着強度が低下したり、光源ランプ１が破損したりすることがない。
【００２６】
なお、該注入は、４本のノズルから同時に注入しても、あるいは、１本のノズルによって４箇所に順番に注入してもよい。また、該注入は４箇所に限定するものではなく、１箇所または２箇所以上の複数箇所であってもよい。１箇所に注入する場合には該注入箇所の円周方向の対向位置に空気抜き用の隙間が形成される。さらに、注入作業は、ノズルを固定部隙間４０に挿入して奥から手前に引き出すように移動しながら注入するもの、あるいは、所定の位置に停留して注入するものであってもよい。
【００２７】
［実施形態３］
図５は本発明の実施形態３に係るプロジェクターの構成図である。
図５において、プロジェクター２は、光源ランプ１を有した照明光学系３００と、照明光学系３００からの出射光を各色光に分離する色光分離光学系３８０と、各色光を入射して所定の情報に基づいて画像を生成し合成する変調色合成系４３０と、その合成光を投写する投写レンズ６００等とを備えている。
【００２８】
次に、上記構成のプロジェクターの作用を説明する。まず、発光管１０から発した出射光は、直接またはリフレクター２０によって反射されて光源ランプ１の前方に向かう。なお、光源ランプ１には前述したサブミラーを備えてもよい。
光源ランプ１は実施形態１に示すものであって、実施形態２に示す製造方法によって製造されたものであるから、発光管１０とリフレクター２０とが堅固に且つ高精度に接着固定され、長時間且つ多数回の使用に対しても出射精度が向上している。
光源ランプ１から出射された光は、凹レンズ２００に入り光の進行方向が照明光学系３００の光軸とほぼ平行に調整される。
【００２９】
続いて平行化された光は、インテグレータレンズを構成する第１レンズアレイ３２０の各小レンズ３２１に入射し、小レンズ３２１の数に応じた複数の部分光束に分割される。さらに、第１レンズアレイ３２０を出た各部分光束は、その各小レンズ３２１にそれぞれ対応した小レンズ３４１を有してなるインテグレータレンズを構成する第２レンズアレイ３４０に入射する。
【００３０】
そして、第２レンズアレイ３４０からの出射光は、光の偏向方向を同じ種類の直線偏光光にそろえる偏光変換素子アレイ３６０に入射する。そして、偏光変換素子アレイ３６０で偏光方向が揃えられた複数の部分光束は重畳レンズ３７０に入り、そこで液晶パネル４１０Ｒ、４１０Ｇ、４１０Ｂに入射する各部分光束が、対応するパネル面上で重さなり合うように調整される。
【００３１】
色光分離光学系３８０は、第１及び第２ダイクロイックミラー３８２、３８６を備え、照明光学系３００から射出される光を、赤、緑、青の３色の色光に分離する機能を有している。第１ダイクロイックミラー３８２は、重畳レンズ３７０から射出される光のうち赤色光成分を透過させるとともに、青色光成分と緑色光成分とを反射する。
そして、赤色光は第１ダイクロイックミラー３８２を透過して反射ミラー３８４で反射され、フィールドレンズ４００Ｒを通って赤色光用の液晶パネル４１０Ｒに達する。また、緑色光は第２ダイクロイックミラー３８６で反射され、フィールドレンズ４００Ｇを通って緑色光用の液晶パネル４１０Ｇに達する。
【００３２】
一方、青色光は、第２ダイクロイックミラー３８６を透過し、リレー光学系３９０、すなわち、入射側レンズ３９２、反射ミラー３９４、リレーレンズ３９６、及び反射ミラー３９８を通り、さらにフィールドレンズ４００Ｂを通って青色光用の液晶パネル４１０Ｂに達する。
なお、青色光にリレー光学系３９０が用いられているのは、青色光の光路長が他の色光の光路長よりも長いため、光の発散等による光の利用効率の低下を防止するためである。すなわち、入射側レンズ３９２に入射した部分光束をそのまま、フィールドレンズ４００Ｂに伝えるためである。なお、リレー光学系３９０は、３つの色光のうちの青色光を通す構成としたが、赤色光等の他の色光を通す構成としてもよい。
【００３３】
変調色合成系４３０は、フィールドレンズ４００Ｒ、４００Ｇ、４００Ｂと、液晶パネル４１０Ｒ、４１０Ｇ、４１０Ｂと、クロスダイクロイックプリズム４２０とを有している。フィールドレンズ４００Ｒは、重畳レンズ３７０から射出された各部分光束をその中心軸（主光線）に対して平行な光束に変換する。他の液晶パネル４１０Ｇ、４１０Ｂの前に設けられたフィールドレンズ４００Ｇ、４００Ｂも同様に作用する。そして、３つの液晶パネル４１０Ｒ、４１０Ｇ、４１０Ｂは、入射した各色光を、与えられた画像情報に従って変調し、各色光の画像を形成する。なお、３つの液晶パネル４１０Ｒ、４１０Ｇ、４１０Ｂの光入射面側、光出射面側には、通常、偏光板が設けられている。
【００３４】
上記の各液晶パネル４１０Ｒ、４１０Ｇ、４１０Ｂから射出された３色の変調光は、これらの変調光を合成してカラー画像を形成する色光合成光学系としての機能を有するクロスダイクロイックプリズム４２０に入る。クロスダイクロイックプリズム４２０には、赤色光を反射する誘電体多層膜と、青色光を反射する誘電体多層膜とが、４つの直角プリズムの界面に略Ｘ字状に形成されている。これらの誘電体多層膜によって赤、緑、青の３色の変調光が合成されて、カラー画像を投写するための変調色合成光が形成される。
【００３５】
そして、クロスダイクロイックプリズム４２０で合成された変調色合成光は、最後に投写レンズ６００に入り、そこからスクリーン上にカラー画像として投写表示される。
【００３６】
このプロジェクター２によれば、そこに設置されている光源ランプ１がすでに説明した作用を有するから（実施形態１、２参照）、投写画像の高輝度化及び照度の均一化が図られ、長期間の使用に対してその性能が維持される。
【００３７】
なお、実施形態３では、透過型の液晶パネルを用いたプロジェクター２を例に説明したが、本発明はこれに限定するものではなく、反射型の液晶パネルを用いたプロジェクターにも適用することが可能である。ここで、「透過型」とは、液晶パネル等の光変調装置が光を透過するタイプであることを意味しており、「反射型」とは、それが光を反射するタイプであることを意味している。また、変調色合成系を有するプロジェクター２を例に説明しているが、液晶パネルが１枚である「いわゆる単板式」のプロジェクターにも、本発明は適用できるものである。
【００３８】
また、入射光を変調して画像を生成する光変調装置は液晶パネルに限られるものではなく、例えば、マイクロミラーを用いた装置であってもよい。さらに、本発明の光源ランプは、観察する方向から投写を行う前面投写型プロジェクターにも、また、観察する方向とは反対側から投写を行う背面投写型プロジェクターにも適用可能である。
【産業上の利用可能性】
【００３９】
本発明は以上の構成であるから、プロジェクターおよびその他各種光学装置の光源ランプとして、また、かかる光源ランプの製造方法として広く利用することができる。
【図面の簡単な説明】
【００４０】
【図１】本発明の実施形態１に係る光源ランプの構成を示す断面図。
【図２】本発明の実施形態２に係る光源ランプの製造方法を示すフローチャート。
【図３】本発明の実施形態２に係る光源ランプの製造方法の工程を示す模式図。
【図４】図３における第２の注入工程の実施例を示す平面図。
【図５】本発明の実施形態３に係るプロジェクターの構成図。
【符号の説明】
【００４１】
１：光源ランプ、２：プロジェクター、１０：発光管、１１：発光部、１２ａ：電極、１２ｂ：電極、１３ａ：封止部、１３ｂ：封止部、１４ａ：金属箔、１４ｂ：金属箔、  １５ａ：リード線、１５ｂ：リード線、２０：リフレクター、２１：反射面、２２：カップ部、２３：ネック部、２４：中心孔、４０：固定用隙間、４１：第１の接着剤、４２：第２の接着剤、３００：照明光学系、３８０：色光分離光学系、３９０：リレー光学系、４３０：変調色合成系、６００ 投写レンズ
【図１】
2005164897.tif 000003
【図２】
2005164897.tif 000004
【図３】
2005164897.tif 000005
【図４】
2005164897.tif 000006
【図５】
2005164897.tif 000007